(57)【要約】【課題】  サーバ側における画像コンテンツを保持するメモリの容量を抑えることができ、見逃した情報をすぐに確認することができる情報表示サーバを提供する。【解決手段】  画像情報１０４ａなどを記憶する記憶手段１０３と、画像情報ごとに表示先ディスプレイ識別のための表示先識別情報を付加する付加手段１０２と、表示先識別情報が付加された画像情報を表示先識別情報により指定されるディスプレイへ送信する送信手段１０１とを備え、付加手段は、送信された画像情報が画像情報に付加された表示先識別情報により指定されたディスプレイにおいて表示され、所定の時間が経過したと判断された場合に、送信された画像情報に付加された表示先識別情報を画像情報間で所定の規則に基づいて入れ替え、画像情報ごとに入れ替えられた表示先識別情報を新たに付加し、送信手段は入れ替えられた表示先識別情報に応じて、各画像情報を指定されたディスプレイへ送信する。【選択図】  図１
2005283923.tif 000002
【特許請求の範囲】
【請求項１】
交通機関の車内に設置された複数のディスプレイに宣伝広告のための画像情報を表示させる情報表示サーバにおいて、
複数の前記画像情報を記憶する記憶手段と、
前記記憶手段に記憶された前記画像情報ごとに表示先ディスプレイ識別のための表示先識別情報を付加する付加手段と、
前記付加手段によって前記表示先識別情報が付加された前記画像情報を、前記画像情報に付加された前記表示先識別情報により指定される前記ディスプレイへ送信する送信手段とを備え、
前記付加手段は、前記送信手段によって送信された前記画像情報が前記画像情報に付加された前記表示先識別情報により指定された前記ディスプレイにおいて表示され、所定の時間が経過したと判断された場合に、前記送信手段によって送信された前記画像情報に付加された前記表示先識別情報を前記画像情報間で所定の規則に基づいて入れ替え、前記画像情報ごとに前記入れ替えられた前記表示先識別情報を新たに付加し、
前記送信手段は、前記付加手段によって前記入れ替えられた前記表示先識別情報に応じて、前記各画像情報をそれぞれ指定された前記ディスプレイへ送信することを特徴とする情報表示サーバ。
【発明の詳細な説明】
【技術分野】
【０００１】
本発明は、電車やバスなどの交通機関の車内に設置された複数のディスプレイに宣伝広告のための画像情報を表示させる情報表示サーバに関する。
【背景技術】
【０００２】
従来、電車やバスなどの交通機関の車内の広告は車内の内壁に貼付されたポスター広告や中吊り広告であった。これらの広告は一定期間掲載後に別の広告に取り替えられる。電車の車内広告は広告効果も高いことから１日ごとに、場合によっては朝と夕方とに取り替えられる。広告の取り替えは人手により行われるが、すべての車両に設置されている大量の広告を極めて短時間に取り替える必要があるため、取り替え作業には多大な労力を必要とする。特に、壁面に取り付けられている広告は、取り替え作業が面倒なこともあり頻繁に取り替えることができない。また、広告媒体は印刷物であるため、広告の取り替えには大量の印刷物を用意しなければならず、さらに取り替えられた広告は再利用されず大量の廃棄物となる。このような事態を解消するため、車内の壁面に広告情報を流すための液晶ディスプレイを設置する試みがなされている。しかし、この液晶ディスプレイはガラス基板で構成されるために装置自体が重くなり、確実に固定するには固定するための壁面スペースと強力な固定部材を必要とする。そのため、近年では、電車やバスなどの移動車両に設置される広告情報などの内容を簡単に変更できるとともに、場所を選ばず、既存の印刷物による広告が設置されている位置に取り付け可能なペーパー状電子ディスプレイを用いた車内広告システムが提案されている。このような技術が下記の特許文献１から３に開示されている。
【特許文献１】特開２００２−３５１３７４号公報（図１、段落００２０）
【特許文献２】特開２００３−１１４６３５号公報（図２、段落００２１、００２２）
【特許文献３】特開２００３−１２２２６６号公報（図２、段落００２３）
【発明の開示】
【発明が解決しようとする課題】
【０００３】
しかしながら、特許文献１から３には、移動車両の現在位置の変化に応じて情報表示装置の表示内容を変えることのみが記載されており、車内の内壁に貼付されたポスター広告や中吊り広告をペーパー状電子ディスプレイに変えた場合、大量のディスプレイにどのようなプログラムで、どのように画像コンテンツを表示させるのか具体的な記載が全くされていない。通常、複数のディスプレイに各々異なる情報を表示させるには、サーバ側が（ディスプレイ数×コンテンツ数）の情報を保持しなければならない。しかし、この方法ではメモリ量が膨大となりコストがかさんでしまう。また、ハードディスクなどのシステムが増大して構成が複雑になり、サーバの画像コンテンツを入れ替えるときに手間がかかるという問題があった。
【０００４】
一方、複数のディスプレイにおける表示内容をすべて同じにして、サーバ側のメモリ量を少なくさせる方法もあるが、時系列で流れていく画像コンテンツをすべて視聴するには時間がかかるため、プログラムが一通り終了する前に乗客が下車してしまい、情報がすべて伝わらないという問題もあった。加えて、表示内容がすべて同一であると、現在表示されている画像コンテンツの内容が乗客にとって興味のない内容である場合、本を読むなど別の行動を始めてしまい、顔を上げて視聴しなくなってしまうため、画像コンテンツが広告の場合は、高い広告効果を得ることができないという問題があった。また、複数のディスプレイに複数の画像コンテンツを各々関連付けずランダムに表示させると乗客が知りたかった情報をうっかり見逃した場合、プログラムが一巡するまで確認することができず、すぐに知りたかった情報を得ることができないという問題があった。
【０００５】
本発明は、上記問題を解決するためのものであり、サーバ側における画像コンテンツを保持するメモリの容量を抑えることができ、見逃した情報をすぐに確認することができる情報表示サーバを提供することを目的とする。
【課題を解決するための手段】
【０００６】
上記目的を達成するために、本発明によれば、交通機関の車内に設置された複数のディスプレイに宣伝広告のための画像情報を表示させる情報表示サーバにおいて、複数の前記画像情報を記憶する記憶手段と、前記記憶手段に記憶された前記画像情報ごとに表示先ディスプレイ識別のための表示先識別情報を付加する付加手段と、前記付加手段によって前記表示先識別情報が付加された前記画像情報を、前記画像情報に付加された前記表示先識別情報により指定される前記ディスプレイへ送信する送信手段とを備え、前記付加手段は、前記送信手段によって送信された前記画像情報が前記画像情報に付加された前記表示先識別情報により指定された前記ディスプレイにおいて表示され、所定の時間が経過したと判断された場合に、前記送信手段によって送信された前記画像情報に付加された前記表示先識別情報を前記画像情報間で所定の規則に基づいて入れ替え、前記画像情報ごとに前記入れ替えられた前記表示先識別情報を新たに付加し、前記送信手段は、前記付加手段によって前記入れ替えられた前記表示先識別情報に応じて、前記各画像情報をそれぞれ指定された前記ディスプレイへ送信することを特徴とする情報表示サーバが提供される。
【発明の効果】
【０００７】
本発明の情報表示サーバは、上記構成を有し、サーバ側における画像コンテンツを保持するメモリの容量を抑えることができ、見逃した情報をすぐに確認することができる。
【発明を実施するための最良の形態】
【０００８】
以下、本発明の実施の形態について図１から図６を用いて説明する。図１は、本発明の実施の形態に係る情報表示サーバの構成を示す図である。図２は本発明の実施の形態に係る情報表示サーバを含む車内広告システムの構成を示す図である。図３は、本発明の実施の形態に係る情報表示サーバから配信される画像情報を流すディスプレイ部の配置の一例を示す図である。図４は、本発明の実施の形態に係る情報表示サーバからディスプレイ部のそれぞれに最初に配信された画像情報がどのように表示されるかを説明するための図である。図５は、本発明の実施の形態に係る情報表示サーバからディスプレイ部のそれぞれに最初に配信された画像情報が流された後、次に配信された画像情報がどのように表示されるかを説明するための図である。図６は、本発明の実施の形態に係る情報表示サーバから配信される画像情報の各ディスプレイ部での表示順を示す図である。
【０００９】
まず、本発明の実施の形態に係る情報表示サーバを含む車内広告システムについて図２を用いて説明する。図２に示すように、車内広告システムは、情報表示サーバ１００、ディスプレイ部２００ａ、２００ｂから構成されている。情報表示サーバ１００は、１つに限られるものではなく複数存在してもよく、例えば電車の場合であれば各車両に１台ずつ存在してもよい。この場合には、各車両で表示する画像情報を管理することになる。また、ディスプレイ部２００ａ、２００ｂは、２つに限られるものではなく複数存在してもよい。以下では、情報表示サーバ１００及びディスプレイ部２００ａ、２００ｂの詳細について説明する。
【００１０】
まず、情報表示サーバ１００について図１を用いて説明する。図１に示すように、情報表示サーバ１００は、コントローラ部１０１、ヘッダ付加部１０２、記憶部１０３から構成されている。コントローラ部１０１は、記憶部１０３に記憶されている画像情報１０４ａ〜１０４ｃの読み出し制御、ヘッダ付加部１０２の制御、画像情報１０４ａ〜１０４ｃの配信（送信）制御などを行う。また、コントローラ部１０１は、所定の識別情報を重複しないようにヘッダに割り当てる。ヘッダ付加部１０２は、コントローラ部１０１が割り当てた所定の識別情報を含んだヘッダを画像情報１０４ａ〜１０４ｃに付加する。ここで、所定の識別情報とは、例えばディスプレイ部を１０個設置する場合には、１から１０の数字を言う。すなわち、コントローラ部１０１は、例えば１から１０の数字を重複しないようにヘッダに割り当てる。
【００１１】
また、ヘッダ付加部１０２は、コントローラ部１０１によって送信された画像情報１０４ａ〜１０４ｃが、画像情報１０４ａ〜１０４ｃに付加された識別情報と同一又は別個の固有の識別情報を設定されたディスプレイ部２００ａ、２００ｂにおいて表示され、所定の時間が経過したと判断された場合に、コントローラ部１０１によって送信された画像情報１０４ａ〜１０４ｃに付加された識別情報を、画像情報１０４ａ〜１０４ｃ間で所定の規則に基づいて入れ替え、入れ替えられた識別情報に対応する画像情報と同一の記憶部１０３に記憶された画像情報１０４ａ〜１０４ｃに、入れ替えられた識別情報を付加する。ここで、ディスプレイ部２００ａ、２００ｂに設定される識別情報は、画像情報１０４ａ〜１０４ｃに付加された識別情報と同一であっても別個の固有の識別情報であってもよい。すなわち、画像情報１０４ａ〜１０４ｃに付加された識別情報とディスプレイ部２００ａ、２００ｂに設定される識別情報とが同一でなくても、１対１の対応関係があればよい。例えば、画像情報１０４ａに識別情報「１」が付され、ディスプレイ部２００ａに識別情報「００１」が付されても、識別情報「１」と識別情報「００１」とが１対１で対応していればよい。
【００１２】
また、所定の時間とは、画像情報１０４ａ〜１０４ｃのディスプレイ部２００ａ、２００ｂにおける上映時間やその上映時間よりも短い時間など言う。また、所定の規則とは、例えば順送りに入れ替えるという規則を言い、後述する図５で説明するような規則である。また、コントローラ部１０１及びヘッダ付加部１０２は、例えばマイクロプロセッサに相当する。また、コントローラ部１０１、ヘッダ付加部１０２、記憶部１０３は、不図示のバスによってつながれており、これらの動作を制御するためのプログラムは記憶部１０３若しくは他の不図示の記憶領域に記憶されている。また、情報表示サーバ１００は、外部との通信を行う際の不図示のインターフェースを有している。
【００１３】
記憶部１０３は、画像情報１０４ａ〜１０４ｃを記憶している。ここで、記憶部１０３に記憶されている画像情報１０４ａ〜１０４ｃはディスプレイ部２００ａ、２００ｂと同じ数量存在し、並列に読み出しが可能である。また、画像情報１０４ａ〜１０４ｃは、例えば動画像、静止画像、文字情報などである。画像情報１０４ａ〜１０４ｃのデータ量はすべて同じ量であり、例えば動画像ならば１５秒間のデータ量、静止画像ならば１フレームのデータ量、文字情報ならば１００字のデータ量などのように統一されている。記憶部１０３は、例えばＨＤＤ、ＲＯＭ、ＲＡＭに相当する。記憶される画像情報１０４ａ〜１０４ｃは、例えば不図示のインターフェースを介して外部の装置などから入力されるものである。なお、記憶される画像情報１０４ａ〜１０４ｃは外部の装置から入力されるものに限られず、ＤＶＤなどの記録媒体に記憶されている画像情報を読み出して記憶部１０３に記憶させたものであり、コントローラ部１０１は記憶された画像情報１０４ａ〜１０４ｃをディスプレイ部２００ａ、２００ｂに配信するようにしてもよい。記憶部１０３に記憶させる際の読み出しは、コントローラ部１０１によって行われるようにしてもよい。
【００１４】
次に、ディスプレイ部２００ａ、２００ｂについて図２を用いて説明する。ここで、ディスプレイ部２００ａとディスプレイ部２００ｂは同様の構成であるため、以下ではディスプレイ部２００ａの構成について説明し、ディスプレイ部２００ｂの構成の説明は省略する。図２に示すように、ディスプレイ部２００ａは、外部設定スイッチ２０１ａ、ヘッダ比較部２０２ａ、ドライバ２０３ａ、ペーパー状ディスプレイ２０４ａから構成されている。これらはバスによってつながれている。また、ディスプレイ部２００ａは、外部と通信を行うための不図示のインターフェースを有しており、また内部の処理動作を制御するためのプログラムを不図示の記憶領域に記憶している。外部設定スイッチ２０１ａは、外部から所定の識別情報を設定するためのものである。ここでの識別情報は、上述した画像情報１０４ａ〜１０４ｃに付加される識別情報と同じものである。すなわち、画像情報に付加された識別情報が１から１０までの数字であれば、ディスプレイ部２００ａに設定される識別情報は、１から１０までの数字のうちの１つであり、例えば「１」である。他の「２」から「１０」の識別情報は、ディスプレイ部２００ａ以外のディスプレイ部に重複しないように設定される。
【００１５】
ヘッダ比較部２０２ａは、情報表示サーバ１００から配信された画像情報１０４ａ〜１０４ｃに付加されたヘッダの識別情報と、外部設定スイッチ２０１ａを介して設定された識別情報とを比較し、同一か否かを判断する。互いの識別情報が一致した場合には、ヘッダの識別情報に対応する画像情報１０４ａ〜１０４ｃのうちの１つをドライバ２０３ａに送る。ドライバ２０３ａは、ヘッダ比較部２０２ａから送られてきた画像情報１０４ａ〜１０４ｃをペーパー状ディスプレイ２０４ａに表示させる。ドライバ２０３ａは、例えばペーパー状ディスプレイ２０４ａが単純マトリクス駆動方式の有機ＥＬディスプレイの場合、陽極ドライバと陰極ドライバとで構成される。陽極ドライバは、内部に備えた定電流源及びスイッチで縦に走る電極ラインに流す電流量を制御し、陰極ドライバは、内部に備えたスイッチで横に走る電極ラインの電位を電源電圧レベル又は接地レベルへ切り替え制御を行う。ここで、ヘッダ比較部２０２ａは、例えばＣＰＵに相当する。
【００１６】
ペーパー状ディスプレイ２０４ａは、ドライバ２０３ａによって駆動されて画像情報１０４ａ〜１０４ｃを表示する。ペーパー状ディスプレイ２０４ａは、可撓性を有する軽量なディスプレイであり、有機ＥＬ、液晶、マイクロカプセルを使った電気泳動、２色に塗り分けた固体粒子の回転などの技術のいずれを用いるかは、画像情報の内容、ディスプレイの設置場所などに応じて適宜選択することができる。例えば、ペーパー状ディスプレイ２０４ａが単純マトリクス駆動方式の有機ＥＬディスプレイの場合、縦横に走る多数の電極ラインと、その交差部分に配置された有機ＥＬ発光素子とから構成され、個々の発光素子は流れる電流量に応じた輝度で光る。
【００１７】
また、ペーパー状ディスプレイ２０４ａは、可撓性を有する軽量なディスプレイであり、従来の壁紙広告や中吊り広告と同じ大きさで、挟んで保持する部分に保護用の部材を張り付けることで、既存車両の壁紙広告や中吊り広告を固定する器具へそのまま挿し込むことができ、挿し込み時に多少の力が加わっても内部の回路を傷つけることがない。なお、情報表示サーバ１００からディスプレイ部２００ａ、２００ｂへ画像情報１０４ａ〜１０４ｃを配信する手段は、例えば有線ケーブル、無線ＬＡＮなどである。
【００１８】
上述した情報表示サーバ１００からの配信情報は、所定の識別情報が割り当てられたヘッダとそのヘッダに対応した画像情報１０４ａ〜１０４ｃとが１つとなったもの（プログラムとも言う）であり、複数のプログラムが並行して、ディスプレイ部２００ａ、２００ｂに繰り返して配信される。配信されたプログラムの画像情報１０４ａ〜１０４ｃがディスプレイ部２００ａやディスプレイ部２００ｂにおいて最後まで流されると、ヘッダ付加部１０２は、ヘッダに割り当てた識別情報を順に切り替える。例えば、１から１０までの識別情報がある場合に、ヘッダの識別情報に「１」が割り当てられていた画像情報に対しては、ヘッダの識別情報を「１０」に切り替える。そして、その画像情報と同様の記憶部１０３に記憶された画像情報に対してヘッダの識別情報「１０」を付加する。また、ヘッダの識別情報に「２」が割り当てられていた画像情報に対しては、ヘッダの識別情報を「１」に切り替える。そして、その画像情報と同様の記憶部１０３に記憶された画像情報に対してヘッダの識別情報「１」を付加する。以下、同様に、ヘッダに設定されていた識別情報から１を引いた数を新たな識別情報として設定する。識別情報「１」から「１０」への切り替えは例外である。このようにすることによって、例えば、識別情報が「１」であるディスプレイ部において、識別情報が「１」の画像情報を流し終わると、次に識別情報「１」のディスプレイ部で流される画像情報は、識別情報が「２」のディスプレイ部で同時に流されていた識別情報が「２」の画像情報である。
【００１９】
次に、より具体的にどのようにディスプレイ部に表示されていくかについて図３を用いて説明する。図３は電車３００内に設置された複数のディスプレイ部３０１〜３１０を示している。ディスプレイ部３０１〜３１０は、現行の壁紙広告や中吊り広告と同様に壁面に取り付け、または吊り下げられている。ディスプレイ部３０１〜３１０は、上述したディスプレイ部２００ａ、２００ｂと同様のものである。各ディスプレイ部３０１〜３１０は、それぞれ単独で駆動し、異なる内容の画像情報を表示することができる。１０枚のディスプレイ部３０１〜３１０は、各ディスプレイ部３０１〜３１０の外部設定スイッチ２０１ａ、２０１ｂによって識別情報が設定されている。例えば、ディスプレイ部３０１〜３１０に対して、それぞれ重複しないように識別情報「１」から「１０」が設定されている。すなわち、ディスプレイ部３０１には識別情報「１」、ディスプレイ部３０２には識別情報「２」といったように他のディスプレイ部３０３〜３１０のそれぞれにも設定されている。
【００２０】
次に、ディスプレイ部３０１〜３１０のそれぞれに最初に配信された画像情報がどのように表示されるか図４を用いて説明する。図４に示すように、識別情報が「１」のディスプレイ部３０１には、識別情報が「１」の画像情報、例えば図１に示す画像情報１０４ａに相当する画像情報が流され、識別情報が「２」のディスプレイ部３０２には、識別情報が「２」の画像情報、例えば図１に示す画像情報１０４ｂに相当する画像情報が流される。他のディスプレイ部３０３〜３１０についても同様に考えられる。ここで、上述したように、画像情報とディスプレイ部との識別情報は、必ずしも同一である必要はない。ここでは、それぞれの識別情報が同一の場合について説明している。
【００２１】
次に、ディスプレイ部３０１〜３１０のそれぞれに最初に配信された画像情報が流された後、情報表示サーバ１００から次に配信された画像情報がどのように表示されるか図５を用いて説明する。図５に示すように、識別情報が「１」のディスプレイ部３０１では、識別情報が「２」のディスプレイ部３０２で流された画像情報、例えば図１に示す画像情報１０４ｂに相当する画像情報が流される。他のディスプレイ部３０２〜３１０についても同様に考えられる。なお、識別情報が「１０」のディスプレイ部３１０では、識別情報が「１」のディスプレイ部３０１で流された画像情報、図１に示す画像情報１０４ａに相当する画像情報が流される。
【００２２】
各ディスプレイ部３０１〜３１０で表示される画像情報を時系列で並べたものを図６に示す。図６に示すように、ディスプレイ部３０１〜３１０は、自身の識別情報と一致した識別情報を有する画像情報１〜１０を順に流す。このように、各ディスプレイ部３０１〜３１０では、時間差をつけて画像情報を順に流すようにするため、電車３００内の乗客は見逃した情報をすぐに確認することができ、必要な情報を取得することができる。なお、上述した内容は、画像情報に付加される識別情報を切り替えるようにしているが、各ディスプレイ部の識別情報を切り替えるようにしても実施可能である。この場合、ディスプレイ部の識別情報の切り替え制御をする手段を設ける必要がある。
【産業上の利用可能性】
【００２３】
本発明に係る情報表示サーバは、サーバ側における画像コンテンツを保持するメモリの容量を抑えることができ、見逃した情報をすぐに確認することができるため、電車やバスなどの交通機関の車内に設置された複数のディスプレイに宣伝広告のための画像情報を表示させる情報表示サーバに有用である。
【図面の簡単な説明】
【００２４】
【図１】本発明の実施の形態に係る情報表示サーバの構成を示す図である。
【図２】本発明の実施の形態に係る情報表示サーバを含む車内広告システムの構成を示す図である。
【図３】本発明の実施の形態に係る情報表示サーバから配信される画像情報を流すディスプレイ部の配置の一例を示す図である。
【図４】本発明の実施の形態に係る情報表示サーバからディスプレイ部のそれぞれに最初に配信された画像情報がどのように表示されるかを説明するための図である。
【図５】本発明の実施の形態に係る情報表示サーバからディスプレイ部のそれぞれに最初に配信された画像情報が流された後、次に配信された画像情報がどのように表示されるかを説明するための図である。
【図６】本発明の実施の形態に係る情報表示サーバから配信される画像情報の各ディスプレイ部での表示順を示す図である。
【符号の説明】
【００２５】
１００  情報表示サーバ
１０１  コントローラ部（送信手段）
１０２  ヘッダ付加部（付加手段）
１０３  記憶部（記憶手段）
１０４ａ、１０４ｂ、１０４ｃ  画像情報
２００ａ、２００ｂ、３０１、３０２、３０３、３０４、３０５、３０６、３０７、３０８、３０９、３１０  ディスプレイ部
２０１ａ、２０１ｂ  外部設定スイッチ
２０２ａ、２０２ｂ  ヘッダ比較部
２０３ａ、２０３ｂ  ドライバ
２０４ａ、２０４ｂ  ペーパー状ディスプレイ
３００  電車
【図１】
2005283923.tif 000003
【図２】
2005283923.tif 000004
【図３】
2005283923.tif 000005
【図４】
2005283923.tif 000006
【図５】
2005283923.tif 000007
【図６】
2005283923.tif 000008